(57)【特許請求の範囲】
【請求項１】
被写体を透過した放射線を検出して放射線画像情報に変換する放射線変換パネルと、
放射線画像の撮影に関わる者のＩＤ情報を記憶した記録媒体が装着可能な記録媒体装着部と、
前記記録媒体装着部への前記記録媒体の装着を検出すると共に、前記記録媒体に記憶された前記ＩＤ情報を読み取る記録媒体検出部と、
ＩＤ情報が記憶されたＩＤ記録部と、
前記記録媒体検出部が前記記録媒体から読み取ったＩＤ情報と、前記ＩＤ記録部に記憶されたＩＤ情報とを照合するＩＤ照合部と、
前記放射線変換パネルを駆動するバッテリと、
前記記録媒体検出部からのＩＤ情報と前記ＩＤ記録部内のＩＤ情報とが一致すると前記ＩＤ照合部が判定した場合に、前記放射線変換パネルへの電力供給を開始させるように前記バッテリを制御するバッテリ制御部と、
を有することを特徴とする放射線検出カセッテ。
【請求項２】
請求項１記載のカセッテにおいて、
前記記録媒体検出部からのＩＤ情報と前記ＩＤ記録部内のＩＤ情報とが一致しないと前記ＩＤ照合部が判定した場合に、両者が一致しないことを外部に通知する第１警告部をさらに有することを特徴とする放射線検出カセッテ。
【請求項３】
請求項１又は２記載のカセッテにおいて、
外部と無線通信が可能な無線通信部をさらに有し、
前記バッテリ制御部は、前記無線通信による外部への前記放射線画像情報の送信中に、前記記録媒体装着部から前記記録媒体が取り外されたことを前記記録媒体検出部が検出した際に、前記放射線画像情報の送信終了後に前記放射線変換パネルへの電力供給を停止させるように前記バッテリを制御することを特徴とする放射線検出カセッテ。
【請求項４】
請求項１又は２記載のカセッテにおいて、
外部と無線通信が可能な無線通信部をさらに有し、
前記バッテリ制御部は、前記無線通信による外部への前記放射線画像情報の送信終了後に前記記録媒体装着部から前記記録媒体が取り外されたことを前記記録媒体検出部が検出した際に、あるいは、前記無線通信による外部への前記放射線画像情報の送信終了後に、前記放射線変換パネルへの電力供給を停止させるように前記バッテリを制御することを特徴とする放射線検出カセッテ。
【請求項５】
請求項１〜４のいずれか１項に記載のカセッテにおいて、
前記記録媒体検出部が前記記録媒体の装着を検出した時刻から計時を開始する計時部と、
前記計時部が前記時刻から所定時間計時したときに、前記記録媒体の装着を外部に通知する第２警告部をさらに有することを特徴とする放射線検出カセッテ。
【請求項６】
請求項５記載のカセッテにおいて、
前記バッテリ制御部は、前記計時部が前記時刻から所定時間計時したときに、前記放射線変換パネルへの電力供給を停止させるように前記バッテリを制御することを特徴とする放射線検出カセッテ。
【請求項７】
請求項１〜６のいずれか１項に記載のカセッテにおいて、
複数の記録媒体装着部が設けられている場合に、前記バッテリ制御部は、前記各記録媒体装着部に前記記録媒体がそれぞれ装着されていることを前記記録媒体検出部が検出したときに、あるいは、前記各記録媒体装着部のうち少なくとも１つに前記記録媒体が装着されていることを前記記録媒体検出部が検出したときに、前記放射線変換パネルへの電力供給を開始させるように前記バッテリを制御することを特徴とする放射線検出カセッテ。
【請求項８】
請求項１〜７のいずれか１項に記載のカセッテにおいて、
前記放射線変換パネル、前記記録媒体装着部、前記記録媒体検出部、前記バッテリ及び前記バッテリ制御部は、筐体に収容され、
前記記録媒体装着部は、前記筐体に設けられたスロットであり、
前記記録媒体は、前記スロットに挿入自在で、且つ、前記被写体又は前記放射線画像の撮影に関わる医師若しくは放射線技師を特定するための識別情報が前記ＩＤ情報として記憶されたＩＣカード又は磁気カードであることを特徴とする放射線検出カセッテ。
【請求項９】
請求項３又は４記載のカセッテにおいて、
前記無線通信部は、ＵＷＢにより外部と無線通信を行うことを特徴とする放射線検出カセッテ。
【請求項１０】
請求項１〜９のいずれか１項に記載の放射線検出カセッテと、前記放射線を出力する放射線源を有する撮影装置と、前記放射線検出カセッテ及び前記撮影装置を制御する制御装置とを有することを特徴とする放射線画像撮影システム。
【請求項１１】
被写体を透過した放射線を検出して放射線画像情報に変換する放射線変換パネルを備えた放射線検出カセッテと、前記放射線を出力する放射線源を備えた撮影装置と、前記放射線検出カセッテ及び前記撮影装置を制御する制御装置とを有し、
前記放射線検出カセッテは、放射線画像の撮影に関わる者のＩＤ情報を記憶した記録媒体が装着可能な記録媒体装着部と、前記記録媒体装着部への前記記録媒体の装着を検出すると共に、前記記録媒体に記憶された前記ＩＤ情報を読み取る記録媒体検出部と、前記放射線変換パネルを駆動するバッテリと、前記バッテリを制御するバッテリ制御部とをさらに備え、
前記制御装置は、ＩＤ情報が記憶されたＩＤ記録部と、前記記録媒体検出部が前記記録媒体から読み取ったＩＤ情報と前記ＩＤ記録部に記憶されたＩＤ情報とを照合するＩＤ照合部とを備え、
前記記録媒体検出部からのＩＤ情報と前記ＩＤ記録部内のＩＤ情報とが一致すると前記ＩＤ照合部が判定した場合に、前記バッテリ制御部は、前記放射線変換パネルへの電力供給を開始させるように前記バッテリを制御することを特徴とする放射線画像撮影システム。
【請求項１２】
請求項１１記載のシステムにおいて、
前記放射線検出カセッテは、前記記録媒体検出部からのＩＤ情報と前記ＩＤ記録部内のＩＤ情報とが一致しないと前記ＩＤ照合部が判定した場合に、両者が一致しないことを外部に通知する第３警告部をさらに有することを特徴とする放射線画像撮影システム。
【請求項１３】
請求項１０〜１２のいずれか１項に記載のシステムにおいて、
前記放射線検出カセッテ、前記制御装置及び前記撮影装置間では、ＵＷＢを用いた無線通信が行われていることを特徴とする放射線画像撮影システム。
【発明の詳細な説明】
【技術分野】
【０００１】
本発明は、被写体を透過した放射線を検出し、検出した前記放射線を放射線画像情報に変換する放射線変換パネルを備えた放射線検出カセッテ及び該放射線検出カセッテを有する放射線画像撮影システムに関する。
【背景技術】
【０００２】
医療分野において、被写体に放射線を照射し、該被写体を透過した前記放射線を放射線変換パネルに導いて放射線画像を撮影する放射線画像撮影装置が広汎に使用されている。この場合、前記放射線変換パネルとしては、前記放射線画像が露光記録される従来からの放射線フイルムや、蛍光体に前記放射線画像としての放射線エネルギを蓄積し、励起光を照射することで前記放射線画像を輝尽発光光として取り出すことのできる蓄積性蛍光体パネルが知られている。これらの放射線変換パネルは、前記放射線画像が記録された放射線フイルムを現像装置に供給して現像処理を行い、あるいは、前記蓄積性蛍光体パネルを読取装置に供給して読取処理を行うことで、可視画像としての前記放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
ところで、放射線変換パネルを収容する放射線検出カセッテ及びこの放射線検出カセッテを用いた放射線画像撮影システムに関して、特許文献１には、放射線検出カセッテから取り外したアダプタ（記録媒体）を撮影装置に挿入し、前記撮影装置において、前記放射線検出カセッテを特定するためのカセッテＩＤ情報を前記記録媒体から検出することにより、前記放射線検出カセッテと前記撮影装置との間における放射線画像の撮影を可能とすることが提案されている。
【０００５】
【特許文献１】特開２００４−１４１４７３号公報
【発明の開示】
【発明が解決しようとする課題】
【０００６】
一般に、放射線検出カセッテは、被写体（患者）に対応して割り当てられている。そのため、特許文献１に係る技術では、ある特定の患者に対する放射線画像の撮影を行う際に、放射線技師又は医師が他の患者用の放射線検出カセッテを取り違えて準備し、前記取り違えた放射線検出カセッテから記録媒体を取り外して撮影装置に挿入すれば、誤ったカセッテＩＤ情報が前記撮影装置に登録されるので、前記他の患者の情報に基づいて前記特定の患者に対する放射線画像の撮影が行われるおそれがある。
【０００７】
また、放射線検出カセッテから記録媒体を取り外すことにより、当該放射線検出カセッテ内では、バッテリから放射線変換パネルへの電力供給が開始されて放射線画像の撮影が可能な状態となるが、前記撮影装置に挿入する前に前記記録媒体を紛失すれば、放射線画像の撮影を行うことができなくなると共に、前記バッテリの電力が無駄に消費されてしまうことになる。
【０００８】
本発明は、前記の課題に鑑みなされたものであり、放射線画像の撮影時における放射線検出カセッテの取り違えの防止と、該放射線検出カセッテ内のバッテリの省電力化とを図ることにより、放射線画像の撮影を確実に且つ効率よく行うことが可能となる放射線検出カセッテ及び放射線画像撮影システムを提供することを目的とする。
【課題を解決するための手段】
【０００９】
本発明は、放射線検出カセッテが、
被写体を透過した放射線を検出して放射線画像情報に変換する放射線変換パネルと、
放射線画像の撮影に関わる者のＩＤ情報を記憶した記録媒体が装着可能な記録媒体装着部と、
前記記録媒体装着部への前記記録媒体の装着を検出する記録媒体検出部と、
前記放射線変換パネルを駆動するバッテリと、
前記記録媒体検出部での検出結果に基づいて、前記放射線変換パネルへの電力供給を開始させるように前記バッテリを制御するバッテリ制御部と、
を有することを特徴とする。
【発明の効果】
【００１０】
本発明によれば、放射線検出カセッテの記録媒体装着部に記録媒体が装着されたことを記録媒体検出部が検出し、その検出結果に基づいて、バッテリ制御部が放射線変換パネルへの電力供給を開始させるようにバッテリを制御する。
【００１１】
これにより、放射線画像の撮影に関わる者のＩＤ情報を記憶した前記記録媒体が装着されたときに、前記放射線画像の撮影が可能な状態となるので、前記放射線検出カセッテの取り違いと、前記バッテリの省電力化とを確実に実現することができ、放射線画像の撮影を確実に且つ効率よく行うことが可能となる。
【発明を実施するための最良の形態】
【００１２】
図１に示すように、第１実施形態に係る放射線画像撮影システム１０Ａが設置された手術室１２には、患者１４が横臥する手術台（ベッド）１６が配置されると共に、医師１８が手術に使用する各種器具が載置される器具台２０が手術台１６の側部に配置される。また、手術台１６の周りには、麻酔器、吸引器、心電計、血圧計等、手術に必要な様々な機器が配置される。
【００１３】
放射線画像撮影システム１０Ａは、撮影条件に従った線量からなる放射線Ｘを被写体としての患者１４に照射するための撮影装置２２と、患者１４を透過した放射線Ｘを検出する放射線検出器（放射線変換パネル）４０（図２、図４及び図５参照）を内蔵した放射線検出カセッテ２４と、放射線検出器４０によって検出された放射線Ｘに基づく放射線画像を表示する表示装置２６と、撮影装置２２、放射線検出カセッテ２４及び表示装置２６を制御するコンソール（制御装置）２８とを備える。なお、撮影装置２２、放射線検出カセッテ２４、表示装置２６及びコンソール２８間は、ＵＷＢ（Ｕｌｔｒａ  Ｗｉｄｅ  Ｂａｎｄ）を用いた無線通信による信号の送受信が行われる。
【００１４】
撮影装置２２は、自在アーム３０に連結され、患者１４の撮影部位に応じた所望の位置に移動可能であると共に、医師１８による手術の邪魔とならない位置に待避可能である。同様に、表示装置２６は、自在アーム３２に連結され、撮影された放射線画像を医師１８が容易に確認できる位置に移動可能である。
【００１５】
図２は、放射線検出カセッテ２４の内部構成図である。放射線検出カセッテ２４は、放射線Ｘを透過させる材料からなるケーシング（筐体）３４を備える。ケーシング３４の内部には、放射線Ｘが照射されるケーシング３４の照射面３６側から、患者１４による放射線Ｘの散乱線を除去するグリッド３８、患者１４を透過した放射線Ｘを検出する放射線検出器４０、及び、放射線Ｘのバック散乱線を吸収する鉛板４２が順に配設される。なお、ケーシング３４の照射面３６をグリッド３８として構成してもよい。
【００１６】
また、ケーシング３４の内部には、放射線検出カセッテ２４の電源であるバッテリ４４と、バッテリ４４から供給される電力により放射線検出器４０を駆動制御するカセッテ制御部４６と、放射線検出器４０によって検出した放射線Ｘの情報を含む信号をコンソール２８との間で送受信する送受信機（無線通信部）４８とが収容される。なお、カセッテ制御部４６及び送受信機４８には、放射線Ｘが照射されることによる損傷を回避するため、ケーシング３４の照射面３６側に鉛板等を配設しておくことが好ましい。
【００１７】
図３は、バッテリ４４、カセッテ制御部４６及び送受信機４８側の側面１９２から見たときの放射線検出カセッテ２４の正面図であり、図４は、放射線検出カセッテ２４の平面図である。
【００１８】
側面１９２には、スロット（記録媒体装着部）２１０が設けられ、このスロット２１０にＩＣカード（記録媒体）２１２が挿入可能である。ＩＣカード２１２は、被写体としての患者１４、医師１８又は放射線技師等の放射線画像の撮影に関わる者を特定するための識別情報（ＩＤ情報）が記憶された記録媒体であり、接触型又は非接触型のＩＣカードが採用可能である。このようなＩＣカード２１２には、例えば、後述するオーダリング情報の一部である患者ＩＤ番号が記憶された患者１４の診察カード（診察券）や、前記患者ＩＤ番号が記憶され且つ診療科にて患者１４に渡される診療カードや、医師１８又は放射線技師が所持し且つ医師１８又は放射線技師のＩＤ情報が記憶されたＩＤカードがある。なお、上記した記録媒体は、ＩＤ情報（ＩＤ番号）が記憶可能であれば、どのような形態の記録媒体を用いてもよく、ＩＣカード２１２に代えて、磁気カードを用いることも可能である。
【００１９】
また、ケーシング３４の照射面３６の送受信機４８側の隅部には、表示部（第１〜第３警告部）１３６が設けられている。放射線検出カセッテ２４は、通常、患者１４に対応して割り当てられた放射線検出カセッテであり、表示部１３６は、スロット２１０内に装着（挿入）されたＩＣカード２１２と放射線検出カセッテ２４とが対応していない場合、例えば、ＩＣカード２１２に記憶されたＩＤ情報が示す患者１４と、放射線検出カセッテ２４が割り当てられる患者１４とが互いに異なる場合に、その旨を発光ダイオード（ＬＥＤ）による発光等により手術室１２内の医師１８又は放射線技師に通知する。さらに、表示部１３６は、スロット２１０にＩＣカード２１２が装着されてから長時間経過した場合にも、ＬＥＤによる発光によって、手術室１２内の医師１８又は放射線技師に、ＩＣカード２１２がスロット２１０に装着された状態にあることを通知することが可能である。
【００２０】
図５は、放射線検出器４０の回路構成ブロック図である。放射線検出器４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図５では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。従って、放射線検出カセッテ２４内に放射線検出器４０を冷却する手段を配設することが好ましい。
【００２１】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、読取回路を構成するマルチプレクサ６６に接続される。ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、カセッテ制御部４６からアドレス信号が供給される。
【００２２】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、カセッテ制御部４６からアドレス信号が供給される。マルチプレクサ６６には、Ａ／Ｄ変換器７０が接続され、Ａ／Ｄ変換器７０によってデジタル信号に変換された放射線画像情報がカセッテ制御部４６に供給される。
【００２３】
図６は、撮影装置２２、放射線検出カセッテ２４、表示装置２６及びコンソール２８からなる放射線画像撮影システム１０Ａの構成ブロック図である。なお、コンソール２８には、病院内の放射線科において取り扱われる放射線画像情報やその他の情報を統括的に管理する放射線科情報システム（ＲＩＳ）２９が接続され、また、ＲＩＳ２９には、病院内の医事情報を統括的に管理する医事情報システム（ＨＩＳ）３１が接続される。
【００２４】
撮影装置２２は、撮影スイッチ７２と、放射線源７４と、送受信機７６と、線源制御部７８とを有する。
【００２５】
送受信機７６は、コンソール２８から無線通信により撮影条件を受信する一方、コンソール２８に対して無線通信による撮影完了信号等を送信する。また、送受信機７６は、放射線検出カセッテ２４の送受信機４８との間で無線通信が可能である。
【００２６】
線源制御部７８は、撮影スイッチ７２から供給される撮影開始信号及び送受信機７６から供給される撮影条件に基づいて放射線源７４を制御する。放射線源７４は、線源制御部７８からの制御に基づいて放射線Ｘを出力する。
【００２７】
一方、放射線検出カセッテ２４は、前述したグリッド３８（図２及び図４参照）、放射線検出器４０、鉛板４２、バッテリ４４、カセッテ制御部４６、送受信機４８、表示部１３６及びスロット２１０の他に、ＩＣカード検出部（記録媒体検出部）２１４をさらに有し、これらは、上述したケーシング３４内に配置されている。
【００２８】
アドレス信号発生部８０は、放射線検出器４０を構成するライン走査駆動部５８のアドレスデコーダ６０及びマルチプレクサ６６のアドレスデコーダ６８に対してアドレス信号を供給する。画像メモリ８２は、放射線検出器４０によって検出された放射線画像情報を記憶する。カセッテＩＤメモリ８４は、放射線検出カセッテ２４を特定するためのカセッテＩＤ情報を記憶する。
【００２９】
ＩＣカード検出部２１４は、スロット２１０に装着されたＩＣカード２１２を検出した際に、ＩＣカード２１２に記憶されたＩＤ情報を読み取り、読み取ったＩＤ情報をＩＤ照合部１６０に出力し、一方で、ＩＣカード２１２を検出したことを示す検出信号をバッテリ制御部２１８及びタイマ２２０に出力する。また、ＩＣカード検出部２１４は、ＩＣカード２１２がスロット２１０から取り外されたことを検出すると、バッテリ制御部２１８及びタイマ２２０への前記検出信号の出力を停止する。なお、ＩＣカード検出部２１４におけるＩＣカード２１２の検出方法及びＩＤ情報の読み取り方法については、接触型又は非接触型のＩＣカードに対する公知の検出方法及び情報読取方法を採用可能である。例えば、ＩＣカード検出部２１４は、ＩＣカード２１２が接触型のＩＣカードであれば、図示しないＩＣカードソケットを介してＩＣカード２１２の装着の有無を検出信号として出力すると共に、前記ＩＣカードソケットを介してＩＣカード２１２中のＩＤ情報を読み出す。
【００３０】
ＩＤ照合部１６０は、ＩＣカード検出部２１４からのＩＤ情報と、カードＩＤメモリ２１６内に記憶されているＩＤ情報とを照合し、両者が一致していると判定した場合に、放射線検出器４０に電力供給を開始させるための制御信号をバッテリ制御部２１８に出力する。また、ＩＤ照合部１６０は、ＩＣカード検出部２１４からのＩＤ情報と、カードＩＤメモリ２１６内に記憶されているＩＤ情報とを照合し、両者が一致していないと判定した場合には、バッテリ制御部２１８に対する前記制御信号の出力を行わず、一方で、両者が一致していないことを示す警告信号を表示部１３６に出力する。表示部１３６は、警告信号に基づいてＬＥＤによる発光を行い、ＩＣカード２１２中のＩＤ情報とカードＩＤメモリ２１６中のＩＤ情報とが対応していないことを手術室１２内の医師１８又は放射線技師に通知する。
【００３１】
タイマ２２０は、ＩＣカード検出部２１４から検出信号が入力された時刻、すなわち、ＩＣカード検出部２１４がスロット２１０へのＩＣカード２１２の装着を検出した時刻から計時を開始し、前記時刻から所定時間計時したときに、放射線検出器４０への電力供給を停止させるための停止信号をバッテリ制御部２１８及び表示部１３６に出力する。なお、前記所定時間とは、前記検出した時刻から、後述する画像メモリ８２からコンソール２８への放射線画像情報の送信が終了する時刻までの時間よりも長く設定された所定時間をいう。表示部１３６は、前記停止信号に基づいて、ＬＥＤの発光により、放射線画像情報の送信終了後（放射線画像の撮影後）もスロット２１０にＩＣカード２１２が装着されていることを手術室１２の医師１８又は放射線技師に通知する。
【００３２】
バッテリ制御部２１８は、ＩＤ照合部１６０からの制御信号の入力に基づいて、放射線検出器４０への電力供給を開始するようにバッテリ４４を制御すると共に、放射線検出器４０への電力供給によって放射線検出カセッテ２４側での放射線画像の撮影準備が完了して該放射線画像の撮影が可能になったことを示す撮影許可信号を、送受信機４８を介して無線通信によりコンソール２８に送信する。
【００３３】
また、バッテリ制御部２１８は、ＩＤ照合部１６０からの制御信号の入力がない場合や、タイマ２２０からの停止信号の入力がある場合には、放射線検出器４０、あるいは、放射線検出器４０を含む放射線検出カセッテ２４の各部（放射線検出器４０、カセッテ制御部４６及び送受信部４８）への電力供給を停止するようにバッテリ４４を制御する。
【００３４】
さらに、バッテリ制御部２１８は、画像メモリ８２から送受信機４８に放射線画像情報が出力されているか否か、すなわち、画像メモリ８２から送受信機４８の無線通信を介してコンソール２８に放射線画像情報が送信されているか否かも監視している。この場合、前記放射線画像情報の送信中にＩＣカード検出部２１４からの検出信号の入力が停止されたとき、すなわち、前記送信中にＩＣカード２１２がスロット２１０から取り外されたことをＩＣカード検出部２１４が検出したときに、バッテリ制御部２１８は、前記放射線画像情報の送信終了後に放射線検出器４０（を含む放射線検出カセッテ２４の各部）への電力供給を停止するようにバッテリ４４を制御する。また、バッテリ制御部２１８は、前記放射線画像情報の送信終了後、あるいは、前記送信終了後にＩＣカード検出部２１４からの検出信号の入力が停止されたときに、放射線検出器４０（を含む放射線検出カセッテ２４の各部）への電力供給を停止するようにバッテリ４４を制御することも可能である。
【００３５】
バッテリ４４は、カセッテ制御部４６及び送受信機４８に常時電力供給を行うと共に、バッテリ制御部２１８からの制御に基づいて放射線検出器４０への電力供給を行うか、あるいは、バッテリ制御部２１８からの制御に基づいて、放射線検出器４０を含む放射線検出カセッテ２４の各部への電力供給を行う。
【００３６】
なお、以下の説明では、上述した電力供給の停止制御に関し、バッテリ制御部２１８は、バッテリ４４から放射線検出器４０への電力供給について停止するように該バッテリ４４を制御するものとして説明する。
【００３７】
送受信機４８は、コンソール２８から無線通信により送信要求信号を受信する一方、コンソール２８に対して、カセッテＩＤメモリ８４に記憶されたカセッテＩＤ情報、画像メモリ８２に記憶された放射線画像情報及び撮影許可信号を無線通信により送信する。
【００３８】
表示装置２６は、コンソール２８から放射線画像情報を受信する受信機９０と、受信した放射線画像情報の表示制御を行う表示制御部９２と、表示制御部９２によって処理された放射線画像情報を表示する表示部９４とを備える。
【００３９】
コンソール２８は、送受信機９６と、撮影条件管理部９８と、画像処理部（画像処理手段）１００と、画像メモリ１０１と、患者情報管理部１０２と、カセッテ情報管理部１０４とを備える。
【００４０】
送受信機９６は、撮影装置２２、放射線検出カセッテ２４及び表示装置２６に対して、放射線画像情報を含む必要な情報を無線通信により送受信する。撮影条件管理部９８は、撮影装置２２による撮影に必要な撮影条件を管理する。画像処理部１００は、放射線検出カセッテ２４から送信された放射線画像情報に対する画像処理を行う。画像メモリ１０１は、前記画像処理された放射線画像情報を記憶する。患者情報管理部１０２は、撮影対象である患者１４の患者情報を管理する。カセッテ情報管理部１０４は、放射線検出カセッテ２４から送信されたカセッテＩＤ情報を管理する。
【００４１】
また、コンソール２８は、撮影装置２２、放射線検出カセッテ２４及び表示装置２６に対して無線通信による信号の送受信を行うことができるのであれば、手術室１２の外に設置してもよい。
【００４２】
なお、撮影条件とは、患者１４の撮影部位に対して、適切な線量からなる放射線Ｘを照射するための管電圧、管電流、照射時間等を決定するための条件であり、例えば、撮影部位、撮影方法等の条件を挙げることができる。患者情報とは、患者１４の氏名、性別、患者ＩＤ番号、患者１４の手術を担当する医師１８及び放射線技師のＩＤ情報等、患者１４を特定するための情報である。これらの撮影条件及び患者情報を含む撮影のオーダリング情報は、コンソール２８で直接設定し、あるいは、ＲＩＳ２９を介してコンソール２８に外部から供給することができる。
【００４３】
第１実施形態に係る放射線画像撮影システム１０Ａは、基本的には以上のように構成されるものであり、次にその動作について説明する。
【００４４】
放射線画像撮影システム１０Ａは、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１０２に予め登録しておく。また、撮影部位や撮影方法が予め決まっている場合には、これらの撮影条件を撮影条件管理部９８に予め登録しておく。さらに、患者１４の患者ＩＤ番号や、手術室１２内で患者１４の手術を担当する医師１８のＩＤ情報や、手術室１２内に居る放射線技師のＩＤ情報についても、患者１４に割り当てられた放射線検出カセッテ２４のカードＩＤメモリ２１６に予め登録しておく。以上の準備作業が終了した状態において、患者１４に対する手術が遂行される。
【００４５】
手術中において放射線画像の撮影を行う場合、医師１８又は担当する放射線技師は、患者１４と手術台１６との間の所定位置に、照射面３６を撮影装置２２側とした状態で放射線検出カセッテ２４を設置する。次に、撮影装置２２を放射線検出カセッテ２４に対向する位置に適宜移動させた後、医師１８又は放射線技師は、撮影スイッチ７２を操作して撮影を行う。
【００４６】
図７は、前述した撮影スイッチ７２の操作（ステップＳ１）から患者１４に対する放射線Ｘの照射（ステップＳ１３）に至るまでの放射線画像撮影システム１０Ａの動作を説明するためのフローチャートである。
【００４７】
ステップＳ１において前記の準備作業が行われた後に医師１８又は放射線技師が撮影スイッチ７２（図６参照）を操作すると、撮影装置２２の線源制御部７８は、送受信機７６、９６を介して、コンソール２８に対して撮影条件の送信を要求する（ステップＳ２）。コンソール２８は、ステップＳ３において前記要求を受信する。
【００４８】
ステップＳ４において、医師１８又は放射線技師が、医師１８、放射線技師又は患者１４のＩＣカード２１２（図３、図４及び図６参照）をスロット２１０に挿入すると、ＩＣカード検出部２１４は、スロット２１０へのＩＣカード２１２の装着を検出し、検出信号をバッテリ制御部２１８及びタイマ２２０に出力すると共に、スロット２１０に装着されたＩＣカード２１２からＩＤ情報を読み取ってＩＤ照合部１６０に出力する（ステップＳ５）。
【００４９】
なお、ステップＳ４での医師１８又は放射線技師によるスロット２１０へのＩＣカード２１２の挿入は、ステップＳ１での撮影スイッチ７２の操作後であっても、ステップＳ１に先立つ撮影スイッチ７２の操作前であってもよい。
【００５０】
ステップＳ６において、ＩＣカード検出部２１４からのＩＤ情報と、カードＩＤメモリ２１６内のＩＤ情報とを照合して、両者が一致すると判定した場合に、ＩＤ照合部１６０は、バッテリ制御部２１８に制御信号を出力し、バッテリ制御部２１８は、制御信号に基づいて、放射線検出器４０への電力供給を開始するようにバッテリ４４を制御すると共に、撮影許可信号を送受信機４８に出力する（ステップＳ７）。これにより、バッテリ４４は、放射線検出器４０への電力供給を開始し、一方で、送受信機４８は、前記撮影許可信号を無線通信を介してコンソール２８に送信する（ステップＳ８）。
【００５１】
なお、ステップＳ６において、ＩＣカード検出部２１４からのＩＤ情報と、カードＩＤメモリ２１６内のＩＤ情報とを照合して、両者が一致しないとＩＤ照合部１６０が判定した場合に、ＩＤ照合部１６０は、バッテリ制御部２１８への制御信号の出力を行わず、表示部１３６に警告信号を出力する。表示部１３６は、前記警告信号に基づいて、ＬＥＤの発光により医師１８又は放射線技師に対して、ＩＣカード２１２中のＩＤ番号が示す患者１４、医師１８又は放射線技師と、カードＩＤメモリ２１６中のＩＤ情報が示す患者１４、医師１８又は放射線技師とが一致していないことを通知する（ステップＳ９）。この通知を見た医師１８又は放射線技師は、ＩＣカード２１２と放射線検出カセッテ２４とが対応していないことを認識して、ステップＳ４の処理を再度実行し、現在装着されているＩＣカード２１２を他のＩＣカード２１２に差し替えるか、あるいは、放射線検出カセッテ２４を他の放射線検出カセッテ２４に差し替える。
【００５２】
コンソール２８は、ステップＳ１０において前記撮影許可信号を受信し、次いで、ステップＳ１１において、撮影条件管理部９８に登録されている患者１４の撮影部位に係る撮影条件を、送受信機９６、７６を介して撮影装置２２に送信する。線源制御部７８は、ステップＳ１２において前記撮影条件を受信すると、前記撮影条件に従って放射線源７４を制御して、所定の線量からなる放射線Ｘを患者１４に照射する（ステップＳ１３）。
【００５３】
なお、ステップＳ１３以降において、患者１４を透過した放射線Ｘは、放射線検出カセッテ２４のグリッド３８によって散乱線が除去された後、放射線検出器４０に照射され、放射線検出器４０を構成する各画素５０の光電変換層５１によって電気信号に変換され、蓄積容量５３に電荷として保持される（図５参照）。次いで、各蓄積容量５３に保持された患者１４の放射線画像情報である電荷情報は、カセッテ制御部４６を構成するアドレス信号発生部８０からライン走査駆動部５８及びマルチプレクサ６６に供給されるアドレス信号に従って読み出される。
【００５４】
すなわち、ライン走査駆動部５８のアドレスデコーダ６０は、アドレス信号発生部８０から供給されるアドレス信号に従って選択信号を出力してスイッチＳＷ１の１つを選択し、対応するゲート線５４に接続されたＴＦＴ５２のゲートに制御信号Ｖｏｎを供給する。一方、マルチプレクサ６６のアドレスデコーダ６８は、アドレス信号発生部８０から供給されるアドレス信号に従って選択信号を出力してスイッチＳＷ２を順次切り替え、ライン走査駆動部５８によって選択されたゲート線５４に接続された各画素５０の蓄積容量５３に保持された電荷情報である放射線画像情報を信号線５６を介して順次読み出す。
【００５５】
放射線検出器４０の選択されたゲート線５４に接続された各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された放射線画像情報は、カセッテ制御部４６の画像メモリ８２に一旦記憶される。
【００５６】
同様にして、ライン走査駆動部５８のアドレスデコーダ６０は、アドレス信号発生部８０から供給されるアドレス信号に従ってスイッチＳＷ１を順次切り替え、各ゲート線５４に接続されている各画素５０の蓄積容量５３に保持された電荷情報である放射線画像情報を信号線５６を介して読み出し、マルチプレクサ６６及びＡ／Ｄ変換器７０を介してカセッテ制御部４６の画像メモリ８２に記憶させる。
【００５７】
画像メモリ８２に記憶された放射線画像情報は、送受信機４８を介して、無線通信によりコンソール２８に送信される。
【００５８】
コンソール２８に送信された放射線画像情報は、送受信機９６によって受信され、画像処理部１００において所定の画像処理が施された後、患者情報管理部１０２に登録されている患者１４の患者情報と関連付けられた状態で画像メモリ１０１に記憶される。
【００５９】
また、画像処理の施された放射線画像情報は、送受信機９６から表示装置２６に送信される。受信機９０によって放射線画像情報を受信した表示装置２６は、表示制御部９２によって表示部９４を制御し、放射線画像を表示する。医師１８は、表示部９４に表示された放射線画像を確認しながら手術を遂行する。
【００６０】
なお、上述した図７の動作において、放射線検出カセッテ２４内での無駄な電力消費を回避するために、バッテリ制御部２１８は、下記の処理を行うことが可能である。
【００６１】
すなわち、ステップＳ６の処理と、画像メモリ８２からコンソール２８への放射線画像情報の送信終了との間に、医師１８又は放射線技師によりスロット２１０からＩＣカード２１２が取り外されて、ＩＣカード検出部２１４からバッテリ制御部２１８及びタイマ２２０への検出信号の出力が停止した場合に、バッテリ制御部２１８は、前記送信終了後に放射線検出器４０への電力供給を停止するようにバッテリ４４を制御する。
【００６２】
また、バッテリ制御部２１８は、放射線画像情報の送信終了後に、放射線検出器４０への電力供給を停止するようにバッテリ４４を制御することも可能である。
【００６３】
さらに、バッテリ制御部２１８は、放射線画像情報の送信終了後に、医師１８又は放射線技師によりスロット２１０からＩＣカード２１２が取り外されて、ＩＣカード検出部２１４からバッテリ制御部２１８及びタイマ２２０への検出信号の出力が停止した場合に、前記検出信号の出力停止後に放射線検出器４０への電力供給を停止するようにバッテリ４４を制御することも可能である。
【００６４】
さらにまた、バッテリ制御部２１８は、ＩＣカード２１２がスロット２１０に装着された時刻から所定時間経過してタイマ２２０からバッテリ制御部２１８に停止信号が入力された場合にも、前記停止信号の入力後に放射線検出器４０への電力供給を停止するようにバッテリ４４を制御することも可能である。この場合、前記停止信号は、表示部１３６にも出力されており、表示部１３６は、前記停止信号に基づくＬＥＤの発光によって、放射線画像の撮影後においてもＩＣカード２１２がスロット２１０に未だに装着されていることを、手術室１２内の医師１８又は放射線技師に通知する。
【００６５】
このように、第１実施形態に係る放射線画像撮影システム１０Ａによれば、放射線検出カセッテ２４のスロット２１０にＩＣカード２１２が装着されたことをＩＣカード検出部２１４が検出し、その検出結果に基づいて、バッテリ制御部２１８が放射線検出器４０への電力供給を開始させるようにバッテリ４４を制御する。これにより、放射線画像の撮影に関わる者（患者１４、医師１８又は放射線技師）のＩＤ情報を記憶したＩＣカード２１２が装着されたときに、放射線検出カセッテ２４側では、放射線画像の撮影が可能な状態となるので、該放射線検出カセッテ２４の取り違いと、バッテリ４４の省電力化とを確実に実現することができ、放射線画像の撮影を確実に且つ効率よく行うことが可能となる。
【００６６】
また、ＩＣカード検出部２１４は、スロット２１０へのＩＣカード２１２の装着を検出した際に、ＩＣカード２１２に記憶されたＩＤ情報を読み取り、読み取ったＩＤ情報をＩＤ照合部１６０に出力し、ＩＤ照合部１６０は、ＩＣカード検出部２１４からのＩＤ情報と、カードＩＤメモリ２１６内のＩＤ情報とを照合して、両者が一致すると判定した場合に制御信号をバッテリ制御部２１８に出力し、バッテリ制御部２１８は、前記制御信号に基づいて、放射線検出器４０への電力供給を開始させるようにバッテリ４４を制御する。これにより、ＩＣカード２１２のＩＤ情報が示す者と、カードＩＤメモリ２１６のＩＤ情報が示す者とを照合することができるので、放射線検出カセッテ２４の取り違えをより確実に防止することが可能となる。
【００６７】
さらに、ＩＤ照合部１６０は、ＩＣカード検出部２１４からのＩＤ情報と、カードＩＤメモリ２１６内のＩＤ情報とを照合して、両者が一致しないと判定した場合に、警告信号を表示部１３６に出力し、表示部１３６は、前記警告信号に基づくＬＥＤの発光によって両者が一致していないことを医師１８又は放射線技師に通知するので、放射線検出カセッテ２４の取り違えを医師１８又は放射線技師に確実に認識させることが可能になると共に、取り違いを認識した医師１８又は放射線技師により放射線検出カセッテ２４を差し替える等の対応の迅速化が可能となる。
【００６８】
このように、前述したオーダリング情報の一部であるＩＤ情報を利用して、バッテリ４４から放射線検出器４０への電力供給の制御を行っているので、放射線画像撮影システム１０Ａでは、前記オーダリング情報に応じた放射線画像の撮影を行うことが可能となる。
【００６９】
さらにまた、バッテリ制御部２１８は、送受信機４８の無線通信によるコンソール２８への放射線画像情報の送信中に、ＩＣカード検出部２１４からの検出信号の入力が停止した際に、前記放射線画像情報の送信終了後に放射線検出器４０への電力供給を停止させるようにバッテリ４４を制御するので、前記送信終了後における放射線検出カセッテ２４内での無駄な電力消費を防止することが可能となる。また、放射線画像情報の送信終了後に、バッテリ４４から放射線検出器４０への電力供給が停止するので、放射線検出カセッテ２４からコンソール２８に前記放射線画像情報を確実に送信することも可能である。
【００７０】
さらに、バッテリ制御部２１８は、前記送信終了後にＩＣカード検出部２１４からの検出信号の入力が停止したとき、あるいは、前記送信終了後に、放射線検出器４０への電力供給を停止させるようにバッテリ４４を制御しても、前記送信終了後における放射線検出カセッテ２４内での無駄な電力消費の防止や、放射線検出カセッテ２４からコンソール２８への放射線画像情報の確実な送信を共に実現することができる。
【００７１】
さらに、タイマ２２０は、ＩＣカード２１２がスロット２１０に装着された時刻から計時を開始し、所定時間計時したときに停止信号を表示部１３６に出力し、表示部１３６は、前記停止信号に基づくＬＥＤの発光によって、スロット２１０にＩＣカード２１２が装着された状態であることを手術室１２内の医師１８又は放射線技師に通知する。これにより、放射線画像の撮影後（放射線検出カセッテ２４からコンソール２８への放射線画像情報の送信終了後）でもＩＣカード２１２が未だにスロット２１０に装着されている場合に、該ＩＣカード２１２の取り外しを忘れていることを医師１８又は放射線技師に確実に知らせることが可能となる。
【００７２】
この場合、バッテリ制御部２１８は、タイマ２２０からの停止信号の入力に基づいて、放射線検出器４０への電力供給を停止させるようにバッテリ４４を制御しても、前記送信終了後における放射線検出カセッテ２４内での無駄な電力消費の防止や、放射線検出カセッテ２４からコンソール２８への放射線画像情報の確実な送信を共に実現することができる。
【００７３】
なお、上記の説明では、主として、バッテリ制御部２１８は、ＩＣカード検出部２１４からの検出信号の入力の停止等に起因して、放射線検出器４０への電力供給を停止させるようにバッテリ４４を制御しているが、これに加えて、カセッテ制御部４６及び送受信機４８に対する電力供給も停止させるようにバッテリ４４を制御すれば、バッテリ４４のより一層の省電力化を実現することができる。
【００７４】
さらにまた、放射線検出カセッテ２４とコンソール２８との間、放射線検出カセッテ２４と撮影装置２２との間、撮影装置２２とコンソール２８との間、及び、コンソール２８と表示装置２６との間では、ＵＷＢの無線通信により信号の送受信が行われている。すなわち、撮影装置２２、放射線検出カセッテ２４、表示装置２６及びコンソール２８間では、該信号を送受信するためのケーブルが連結されていないため、例えば、手術室１２の床面にこれらのケーブルが配設されることがなく、医師１８等の作業に支障を来すおそれがない。従って、医師１８は、自己の作業を効率よく行うことが可能となる。また、前記無線通信をＵＷＢとすることで、従来の無線通信と比較して、消費電力の低減、耐フェージング性の向上及び高速通信化の向上を図ることができる。
【００７５】
なお、第１実施形態に係る放射線画像撮影システム１０Ａでは、コンソール２８は、撮影許可信号を送受信機４８から無線通信により送受信機９６に送信しているが、これに代えて、送受信機４８から送受信機７６を介して送受信機９６に無線通信により送信してもよい。
【００７６】
また、第１実施形態に係る放射線画像撮影システム１０Ａでは、医師１８又は放射線技師の撮影スイッチ７２の操作に起因して放射線画像の撮影が行われるが、医師１８又は前記放射線技師によるコンソール２８の操作に起因して放射線画像の撮影が行われるようにしてもよい。
【００７７】
さらに、第１実施形態に係る放射線画像撮影システム１０Ａでは、例えば、放射線検出カセッテ２４に収容される放射線検出器４０は、入射した放射線Ｘの線量を光電変換層５１によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【００７８】
また、光変換方式の放射線検出器を利用して放射線画像情報を取得することもできる。この光変換方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００７９】
次に、第２実施形態に係る放射線画像撮影システム１０Ｂについて、図８及び図９を参照しながら説明する。なお、放射線画像撮影システム１０Ｂにおいて、第１実施形態に係る放射線画像撮影システム１０Ａ（図１〜図７参照）と同様の構成要素については、同一の参照符号を用いると共にその詳細な説明を省略し、以下同様とする。
【００８０】
第２実施形態に係る放射線画像撮影システム１０Ｂは、コンソール２８側にＩＤ照合部１６２及びカードＩＤメモリ２２２が配置されている点で、第１実施形態に係る放射線画像撮影システム１０Ａとは異なる。
【００８１】
図９は、放射線画像撮影システム１０Ｂの動作を説明するためのフローチャートである。なお、図９の説明では、必要に応じて、図７のフローチャートも参照しながら説明する。
【００８２】
図７のステップＳ１〜Ｓ３の前又は後のステップＳ２０において、医師１８又は放射線技師が、患者１４、医師１８又は放射線技師のＩＣカード２１２（図３、図４、図６及び図８参照）をスロット２１０に挿入すると、ＩＣカード検出部２１４は、スロット２１０へのＩＣカード２１２の装着を検出して、検出信号をバッテリ制御部２１８及びタイマ２２０に出力すると共に、スロット２１０に装着されたＩＣカード２１２からＩＤ情報を読み取って送受信機４８に出力する（ステップＳ２１）。
【００８３】
ステップＳ２２において、送受信機４８は、無線通信によりコンソール２８の送受信機９６に前記ＩＤ情報を送信する。ステップＳ２３において、送受信機９６が前記ＩＤ情報を受信すると、次のステップＳ２４において、コンソール２８のＩＤ照合部１６２は、受信したＩＤ情報と、カードＩＤメモリ２２２内のＩＤ情報とを照合して、両者が一致すると判定した場合には、送受信機９６から無線通信により送受信機４８に照合結果（制御信号）を送信する（ステップＳ２５）。
【００８４】
ステップＳ２６において、送受信機４８は、受信した前記照合結果をバッテリ制御部２１８に出力し、バッテリ制御部２１８は、前記照合結果が制御信号であるか否かを判定する（ステップＳ２７）。ステップＳ２７において、前記照合結果が制御信号であると判定した場合に、バッテリ制御部２１８は、送受信機４８に応答信号としての撮影許可信号を出力すると共に、前記制御信号に基づいて、放射線検出器４０への電力供給を開始するようにバッテリ４４を制御する（ステップＳ２８）。これにより、バッテリ４４から放射線検出器４０への電力供給が開始されて、放射線検出カセッテ２４側での放射線画像の撮影準備が完了する。一方、送受信機４８は、前記撮影許可信号を無線通信を介してコンソール２８に送信する（ステップＳ２９）。コンソール２８は、ステップＳ３０において前記撮影許可信号を受信すると、ステップＳ１１以降の処理を行って、放射線画像の撮影を行う。
【００８５】
なお、ステップＳ２４において、受信したＩＤ情報と、カードＩＤメモリ２２２内のＩＤ情報とを照合して、両者が一致しないとＩＤ照合部１６２が判定した場合に、コンソール２８は、送受信機９６から無線通信により送受信機４８に照合結果（警告信号）を送信する（ステップＳ２５）。
【００８６】
ステップＳ２６において、送受信機４８は、受信した前記照合結果をバッテリ制御部２１８に出力し、バッテリ制御部２１８は、前記照合結果が制御信号であるか否かを判定する（ステップＳ２７）。この場合、前記照合結果は、警告信号であるので、ステップＳ２７において、前記照合結果が制御信号ではないと判定した場合に、バッテリ制御部２１８は、送受信機４８への撮影許可信号の出力やバッテリ４４に対する放射線検出器４０への電力供給開始の制御を行わず、前記警告信号を表示部１３６に出力する。
【００８７】
表示部１３６は、警告信号に基づくＬＥＤの発光を行い、ＩＣカード２１２中のＩＤ番号が示す患者１４、医師１８又は放射線技師と、カードＩＤメモリ２２２中のＩＤ情報が示す患者１４、医師１８又は放射線技師とが一致していないことを通知する（ステップＳ３１）。この通知を見た医師１８又は放射線技師は、ＩＣカード２１２と放射線検出カセッテ２４とが対応していないことを認識して、ステップＳ４の処理を再度実行して、現在装着されているＩＣカード２１２を他のＩＣカード２１２に差し替えるか、あるいは、放射線検出カセッテ２４を他の放射線検出カセッテ２４に差し替える。
【００８８】
このように、第２実施形態に係る放射線画像撮影システム１０Ｂによれば、コンソール２８側に、ＩＤ照合部１６２及びカードＩＤメモリ２２２が配置されているので、前述した第１実施形態に係る放射線画像撮影システム１０Ａと同様の効果が得られる。
【００８９】
また、第２実施形態に係る放射線画像撮影システム１０Ｂでは、放射線検出カセッテ２４の送受信機４８からコンソール２８の送受信機９６に無線通信によりＩＤ情報を送信して、コンソール２８内のＩＤ照合部１６２にて照合処理を行い、その照合結果（制御信号又は警告信号）を送受信機９６から送受信機４８に無線通信により送信し、バッテリ制御部２１８にて前記照合結果が制御信号又は警告信号であるか否かを判定し、さらに、送受信機４８から送受信機９６に無線通信により応答信号としての撮影許可信号を送信する。これにより、送受信機４８、９６間で無線通信が確立されているか否かを、放射線検出カセッテ２４側及びコンソール２８側の双方にて把握することも可能となるので、コンソール２８は、送受信機４８、９６間の無線通信が確立されていれば、送受信機９６、４８を介して放射線検出カセッテ２４を制御することも可能となる。
【００９０】
次に、第３実施形態に係る放射線画像撮影システム１０Ｃについて、図１０〜図１３を参照しながら説明する。
【００９１】
第３実施形態に係る放射線画像撮影システム１０Ｃは、放射線検出カセッテ２４におけるケーシング３４の側面１９２に２つのスロット２１０ａ、２１０ｂが設けられ、これらのスロット２１０ａ、２１０ｂにＩＣカード２１２ａ、２１２ｂがそれぞれ装着可能である点で、第１及び第２実施形態に係る放射線画像撮影システム１０Ａ、１０Ｂ（図１〜図９）とは異なる。
【００９２】
この場合、放射線画像撮影システム１０Ｃでは、２つのスロット２１０ａ、２１０ｂにＩＣカード２１２ａ、２１２ｂがそれぞれ装着されたときに、バッテリ制御部２１８は、各ＩＣカード２１２ａ、２１２ｂに応じた各検出信号及び各ＩＤ情報に基づいて、バッテリ４４に放射線検出器４０への電力供給を開始させるように制御するか、あるいは、２つのスロット２１０ａ、２１０ｂのいずれか一方にＩＣカード２１２ａ、２１２ｂが装着されたときに、バッテリ制御部２１８は、該ＩＣカード２１２ａ、２１２ｂに応じた検出信号及びＩＤ情報に基づいて、バッテリ４４に放射線検出器４０への電力供給を開始させるように制御する。
【００９３】
すなわち、この放射線画像撮影システム１０Ｃでは、各スロット２１０ａ、２１０ｂにそれぞれ装着されたＩＣカード２１２ａ、２１２ｂに応じた各検出信号及び各ＩＤ情報に基づいて、ＩＤ照合部１６０での照合処理、タイマ２２０での計時処理、バッテリ制御部２１８によるバッテリ４４の制御及び表示部１３６による警告を行うことが可能である。
【００９４】
また、放射線画像撮影システム１０Ｃでは、スロット２１０ａ、２１０ｂのいずれか一方に装着されたＩＣカード２１２ａ、２１２ｂに応じた検出信号及びＩＤ情報に基づいて、ＩＤ照合部１６０での照合処理、タイマ２２０での計時処理、バッテリ制御部２１８によるバッテリ４４の制御及び表示部１３６による警告を行うことも可能である。
【００９５】
なお、各スロット２１０ａ、２１０ｂにＩＣカード２１２ａ、２１２ｂをそれぞれ装着する場合とは、例えば、一方のスロットに患者１４用のＩＣカードを挿入し、他方のスロットに医師１８又は放射線技師のＩＣカードを挿入することをいう。この場合、ＩＤ照合部１６０における照合処理の結果、手術室１２に居る患者１４及び医師１８又は放射線技師のＩＣカード２１２ａ、２１２ｂの各ＩＤ情報と、カードＩＤメモリ２１６内の各ＩＤ情報とがそれぞれ一致した場合にのみ、バッテリ４４から放射線検出器４０への電力供給が開始されて、放射線画像の撮影が可能な状態となる。
【００９６】
このように、第３実施形態に係る放射線画像撮影システム１０Ｃによれば、２つのスロット２１０ａ、２１０ｂのＩＣカード２１２ａ、２１２ｂをそれぞれ装着するか、あるいは、２つのスロット２１０ａ、２１０ｂのいずれか一方にＩＣカード２１２ａ、２１２ｂを装着することにより、前述した第１及び第２実施形態に係る放射線画像撮影システム１０Ａ、１０Ｂと同様の処理を行うことが可能となるので、第１及び第２実施形態に係る放射線画像撮影システム１０Ａ、１０Ｂと同様の効果が得られる。なお、図１０〜図１３では、一例として、ケーシング３４に２つのスロット２１０ａ、２１０ｂを設けた場合を図示しているが、スロット２１０ａ、２１０ｂの個数は、２つに限定されないことは勿論である。
【００９７】
なお、第１〜第３実施形態に係る放射線画像撮影システム１０Ａ〜１０Ｃは、上述した実施形態に限らず、下記のような構成を採り得ることも可能である。
【００９８】
放射線検出カセッテ２４は、手術室１２等で使用されるとき、血液やその他の雑菌が付着するおそれがある。そこで、放射線検出カセッテ２４を防水性、密閉性を有する構造とし、必要に応じて殺菌洗浄することにより、１つの放射線検出カセッテ２４を繰り返し続けて使用することができる。
【００９９】
また、放射線検出カセッテ２４は、手術室１２で使用される場合に限られるものではなく、例えば、検診や病院内での回診にも適用することができる。
【０１００】
さらに、放射線検出カセッテ２４と外部機器との間での無線通信は、通常の電波による通信に代えて、赤外線等を用いた光無線通信で行うようにしてもよい。
【０１０１】
さらにまた、図１４に示すように放射線検出カセッテ５００を構成すると、一層好適である。
【０１０２】
すなわち、放射線検出カセッテ５００には、ケーシング５０２の放射線照射面側に、撮影領域及び撮影位置の基準となるガイド線５０４が形成される。このガイド線５０４を用いて、放射線検出カセッテ５００に対する被写体（患者１４）の位置決めを行い、また、放射線Ｘの照射範囲を設定することにより、放射線画像情報を適切な撮影領域に記録することができる。
【０１０３】
放射線検出カセッテ５００の撮影領域外の部位には、当該放射線検出カセッテ５００に係る各種情報を表示する表示部５０６を配設する。この表示部５０６には、放射線検出カセッテ５００に記録される患者１４のＩＤ情報、放射線検出カセッテ５００の使用回数、累積曝射線量、放射線検出カセッテ５００に内蔵されているバッテリ４４の充電状態（残容量）、放射線画像情報の撮影条件、患者１４の放射線検出カセッテ５００に対するポジショニング画像等を表示させる。この場合、放射線技師は、例えば、表示部５０６に表示されたＩＤ情報に従って患者１４を確認すると共に、当該放射線検出カセッテ５００が使用可能な状態にあることを事前に確認し、表示されたポジショニング画像に基づいて患者１４の所望の撮影部位を放射線検出カセッテ５００に位置決めして、最適な放射線画像情報の撮影を行うことができる。
【０１０４】
また、放射線検出カセッテ５００に取手部５０８を形成することにより、当該放射線検出カセッテ５００の取扱い、持ち運びが容易になる。
【０１０５】
放射線検出カセッテ５００の側部には、ＡＣアダプタの入力端子５１０と、ＵＳＢ（Ｕｎｉｖｅｒｓａｌ  Ｓｅｒｉａｌ  Ｂｕｓ）端子５１２と、メモリカード５１４を装填するためのカードスロット５１６とを配設すると好適である。
【０１０６】
入力端子５１０は、放射線検出カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該放射線検出カセッテ５００を直ちに使用可能な状態とすることができる。
【０１０７】
ＵＳＢ端子５１２又はカードスロット５１６は、放射線検出カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【０１０８】
手術室１２や病院内の必要な箇所には、図１５に示すように、放射線検出カセッテ２４が装填され、内蔵されるバッテリ４４の充電を行うクレードル５１８を配置すると好適である。この場合、クレードル５１８は、バッテリ４４の充電だけでなく、クレードル５１８の無線通信機能又は有線通信機能を用いて、ＲＩＳ２９、ＨＩＳ３１、コンソール２８等の外部機器との間で必要な情報の送受信を行うようにしてもよい。送受信する情報には、クレードル５１８に装填された放射線検出カセッテ２４に記録された放射線画像情報を含めることができる。
【０１０９】
また、クレードル５１８に表示部５２０を配設し、この表示部５２０に対して、装填された当該放射線検出カセッテ２４の充電状態や、放射線検出カセッテ２４から取得した放射線画像情報を含む必要な情報を表示させるようにしてもよい。
【０１１０】
また、複数のクレードル５１８をネットワークに接続し、各クレードル５１８に装填されている放射線検出カセッテ２４の充電状態をネットワークを介して収集し、使用可能な充電状態にある放射線検出カセッテ２４の所在を確認できるように構成することもできる。
【０１１１】
なお、本発明に係る放射線検出カセッテ及び放射線画像撮影システムは、上述の実施の形態に限らず、本発明の要旨を逸脱することなく、種々の構成を採り得ることは勿論である。
【図面の簡単な説明】
【０１１２】
【図１】第１実施形態の放射線画像撮影システムが設置された手術室の説明図である。
【図２】図１の放射線検出カセッテの内部構成図である。
【図３】図１及び図２の放射線検出カセッテの正面図である。
【図４】図１〜図３の放射線検出カセッテの平面図である。
【図５】図２の放射線検出器の回路構成ブロック図である。
【図６】図１の放射線画像撮影システムの構成ブロック図である。
【図７】撮影スイッチの操作から放射線の照射に至るまでの放射線画像撮影システムの動作を説明するためのフローチャートである。
【図８】第２実施形態の放射線画像撮影システムの構成ブロック図である。
【図９】図８の放射線画像撮影システムの動作を説明するためのフローチャートである。
【図１０】第３実施形態の放射線画像撮影システムの構成ブロック図である。
【図１１】第３実施形態の放射線画像撮影システムの他の構成ブロック図である。
【図１２】図１０及び図１１の放射線検出カセッテの正面図である。
【図１３】図１０及び図１１の放射線検出カセッテの平面図である。
【図１４】放射線検出カセッテの他の構成図である。
【図１５】放射線検出カセッテの充電を行うクレードルの構成図である。
【符号の説明】
【０１１３】
１０Ａ〜１０Ｃ…放射線画像撮影システム
１２…手術室
１４…患者
１６…手術台
２２…撮影装置
２４、５００…放射線検出カセッテ
２６…表示装置
２８…コンソール
２９…ＲＩＳ
３１…ＨＩＳ
４０…放射線検出器
４４…バッテリ
４６…カセッテ制御部
４８、７６、９６…送受信機
５０…画素
７４…放射線源
８２、１０１…画像メモリ
８４…カセッテＩＤメモリ
９０…受信機
９４、１３６…表示部
９８…撮影条件管理部
１００…画像処理部
１０２…患者情報管理部
１０４…カセッテ情報管理部
１６０、１６２…ＩＤ照合部
２１０、２１０ａ、２１０ｂ…スロット
２１２、２１２ａ、２１２ｂ…ＩＣカード
２１４…ＩＣカード検出部
２１６、２２２…カードＩＤメモリ
２１８…バッテリ制御部
２２０…タイマ
【図１】
0004881920.tif 000002
【図２】
0004881920.tif 000003
【図３】
0004881920.tif 000004
【図４】
0004881920.tif 000005
【図５】
0004881920.tif 000006
【図６】
0004881920.tif 000007
【図７】
0004881920.tif 000008
【図８】
0004881920.tif 000009
【図９】
0004881920.tif 000010
【図１０】
0004881920.tif 000011
【図１１】
0004881920.tif 000012
【図１２】
0004881920.tif 000013
【図１３】
0004881920.tif 000014
【図１４】
0004881920.tif 000015
【図１５】
0004881920.tif 000016